(57)【要約】【課題】揺動選別棚上に第一選別網を設けた脱穀機の選別装置において、揺動選別棚に供給される脱穀処理物を揺動選別棚の前後で均等化することで、部分的な過負荷選別を無くして穀粒の収量を増加すること。【解決手段】扱室１５下部の風選室２４に第一選別網４０と揺動選別棚２５を設けて唐箕２２からの送風を第一選別網４０の下から後上方へ吹き上げる脱穀装置３の選別装置において、第一選別網４０の目合を風選室２４の前側よりも後側で大きくしたことを特徴とするコンバインの選別装置とする。【選択図】図２
2020031584.tif 000002
【特許請求の範囲】
【請求項１】
扱室（１５）下部の風選室（２４）に第一選別網（４０）と揺動選別棚（２５）を設けて唐箕（２２）からの送風を前記第一選別網（４０）の下から後上方へ吹き上げる脱穀装置（３）の選別装置において、前記第一選別網（４０）の目合を前記風選室（２４）の前側よりも後側で大きくしたことを特徴とするコンバインの選別装置。
【請求項２】
前記第一選別網（４０）の後側を前側よりも後上がりに傾斜させたことを特徴とする請求項１に記載のコンバインの選別装置。
【請求項３】
前記第一選別網（４０）を前後に複数の分割選別網（４０ａ，４０ｂ）に分割し、各分割選別網（４０ａ，４０ｂ）を交換可能にしたことを特徴とする請求項１に記載のコンバインの選別装置。
【請求項４】
前記第一選別網（４０）を前後に複数の分割選別網（４０ａ，４０ｂ）に分割し、各分割選別網（４０ａ，４０ｂ）の後傾角度を調整可能にしたことを特徴とする請求項１に記載のコンバインの選別装置。
【請求項５】
前記第一選別網（４０）より目合の小さな中間選別網（３８）を前記第一選別網（４０）の下部に設けたことを特徴とする請求項１から請求項４の何れか１項に記載のコンバインの選別装置。
【発明の詳細な説明】
【技術分野】
【０００１】
本発明は、コンバインの選別装置に関し、特に穀稈を丸ごと脱穀装置に取り込み穀粒を脱穀する汎用コンバインに適した選別装置に関する。
【背景技術】
【０００２】
汎用コンバインの選別装置として、特許文献１に記載の構成がある。この選別装置は、穀稈を脱穀する扱室の下部に揺動選別装置を設け、上部の扱胴で扱がれて扱網を通過して落下する脱穀処理物から穀稈切れや藁屑を排除しながら穀粒を取り出す選別装置である。
【０００３】
この選別装置は、扱胴を囲む受網下部に唐箕からの吹き上げ風を受けて揺動する揺動選別棚を設け、揺動選別棚のチャフシーブ上に唐箕からの送風を通す送風間隙を空けて第一選別網を設けたことを特徴とする。
【先行技術文献】
【特許文献】
【０００４】
【特許文献１】特開２０１８−６８１８９号公報
【発明の概要】
【発明が解決しようとする課題】
【０００５】
しかしながら、扱室内の前後に長い扱胴で扱がれる脱穀処理物は前側で多く後に行くにしたがって少なくなるが、前記従来の第一選別網は前から後にかけて一様の目合となっているために、揺動選別棚に落下する脱穀処理物の量も前側が多くなり、揺動選別棚の選別負荷が大きくなって穀粒の収量が少なくなる傾向がある。
【０００６】
本発明は、上記従来のコンバインの選別装置のこの様な課題に鑑みて、揺動選別棚上に第一選別網を設けた脱穀機の選別装置において、揺動選別棚に供給される脱穀処理物を揺動選別棚の前後で均等化することで、部分的な過負荷選別を無くして穀粒の収量を増加することを目的とする。
【課題を解決するための手段】
【０００７】
上記従来の課題は、次の技術手段により解決される。
【０００８】
請求項１の発明は、扱室１５下部の風選室２４に第一選別網４０と揺動選別棚２５を設けて唐箕２２からの送風を第一選別網４０の下から後上方へ吹き上げる脱穀装置３の選別装置において、第一選別網４０の目合を風選室２４の前側よりも後側で大きくしたことを特徴とするコンバインの選別装置とする。
【０００９】
請求項２の発明は、第一選別網４０の後側を前側よりも後上がりに傾斜したことを特徴とする請求項１に記載のコンバインの選別装置とする。
【００１０】
請求項３の発明は、第一選別網４０を前後に複数の分割選別網４０ａ，４０ｂに分割し、各分割選別網４０ａ，４０ｂを交換可能にしたことを特徴とする請求項１に記載のコンバインの選別装置とする。
【００１１】
請求項４の発明は、第一選別網４０を前後に複数の分割選別網４０ａ，４０ｂに分割し、各分割選別網４０ａ，４０ｂの後傾角度を調整可能にしたことを特徴とする請求項１に記載のコンバインの選別装置とする。
【００１２】
請求項５の発明は、第一選別網４０より目合の小さな中間選別網３８を第一選別網４０の下部に設けたことを特徴とする請求項１から請求項４の何れか1項に記載のコンバインの選別装置とする。
【発明の効果】
【００１３】
請求項１の発明で、扱室１５から第一選別網４０上に落下する脱穀処理物は扱室１５の前側で多いが、そのうちの穀粒や細かい藁屑が第一選別網４０の前側網目の目合を通過して揺動選別棚２５上に落下し、大きな穀稈切れや藁屑が唐箕２２の送風に送られて第一選別網４０の後側の大きな目合の網目を通過して比較的大きな穀稈切れや藁屑が穀粒と共に揺動選別棚２５上に落下するので、揺動選別棚２５上に供給される脱穀処理物が前から後まで均等化され、揺動選別棚２５での穀粒分離選別が良好になる。
【００１４】
請求項２の発明で、請求項１の効果に加えて、第一選別網４０に落下する脱穀処理物は唐箕２２の送風で後方へ送られるが、後上がり傾斜の大きな揺動選別棚２５の後部で後方への送り速度が緩和されて比較的大きな穀稈切れや藁屑から穀粒の落下が促進される。
【００１５】
請求項３の発明で、請求項１の効果に加えて、第一選別網４０には多くの脱穀処理物が落下するので掃除のメンテナンスを頻繁にする必要があるが、第一選別網４０が複数の分割選別網４０ａ，４０ｂに分割されているので、取り外してのメンテナンス作業が容易になる。
【００１６】
請求項４の発明で、請求項１の効果に加えて、収穫する穀稈の特性に応じて第一選別網４０に落下する脱穀処理物の後方への送り速度を分割選別網４０ａ，４０ｂの後傾角度調整で調節して、揺動選別棚２５に落下する脱穀処理物を均等化出来る。
【００１７】
請求項５の発明で、請求項１から請求項４の何れか1項の効果に加えて、中間選別網３８で穀粒をより精度良く選別できる。
【図面の簡単な説明】
【００１８】
【図１】コンバインの側面図である。
【図２】脱穀装置の縦断側面図である。
【図３】揺動選別棚の側面図である。
【図４】第一選別網の平面図である。
【図５】別実施例の脱穀装置の縦断側面図である。
【図６】別実施例の脱穀装置の縦断側面図である。
【図７】別実施例の脱穀装置の縦断側面図である。
【図８】別実施例の脱穀装置の縦断側面図である。
【図９】別実施例の脱穀装置の縦断側面図である。
【図１０】切断処理装置の側断面図である。
【図１１】切断処理装置の背断面図である。
【発明を実施するための形態】
【００１９】
本発明の一実施形態を説明すると、図１はコンバインの全体図で、１はコンバインの機体フレーム、２は機体フレーム１の下方に設けた走行装置、３は機体フレーム１の上方に設けた脱穀装置、４は脱穀装置３の前側に設けた刈取装置、５は脱穀装置３の側部に設けたグレンタンク、６はグレンタンク５の前側に設けた操縦部である。
【００２０】
刈取装置４は、オーガー（図示省略）を軸装したオーガーフレーム（オーガーテーブル）１１に、リール１２と、刈刃１３を設けて構成し、オーガーフレーム１１には搬送エレベーター１４の先端を取付け、搬送エレベーター１４の基部は脱穀装置３の扱室１５に接続する。刈取装置４は、搬送エレベーター１４と共に、刈取上下シリンダ（図示省略）により搬送エレベーター１４の基部側を回動中心にして上下するように構成している。
【００２１】
図２の如く、前記脱穀装置３の扱室１５には扱胴２０を軸装し、扱胴２０の主として下方側は扱網２１により包囲している。扱室１５の下方には唐箕２２の唐箕ケーシング２３を設ける。
【００２２】
前記扱室１５の下方には前記唐箕２２の送風により穀粒と異物とを風選し得る風選室２４を形成し、風選室２４内には、唐箕２２の送風方向（前後方向）に往復揺動する揺動選別棚２５を設ける。
【００２３】
揺動選別棚２５の構成は任意であるが、一例を示すと、前記揺動選別棚２５の始端部（前端部）を唐箕ケーシング２３の上方に位置させて移送棚部２６に形成する。移送棚部２６の構成は任意であるが、移送棚部２６の上面には、図示は省略するが、突起や凹凸を設けて揺動選別棚２５の移送方向下手側に扱室１５からの脱穀処理物を移送するように構成する。
【００２４】
移送棚部２６の移送方向下手側には、シーブ２７の上方に所定間隔Ｔを隔てて第一選別網４０を設けている。第一選別網４０は、図４に示す如く、目合の小さな前分割選別網４０ａと目合の大きな後分割選別網４０ｂとを連結した網体で、後分割選別網４０ｂを後上がりに傾斜させて、下部のストローラック３０上に向かわせている。そのため、扱室１５からの脱穀処理物のうちの藁屑（穀稈屑）を第一選別網４０が受け止めて、シーブ２７による脱穀処理物中の藁屑量を減少させると共に堆積する脱穀処理物を前後に均平化し、選別精度および効率を向上させることができる。
【００２５】
なお、第一選別網４０を構成する前分割選別網４０ａと後分割選別網４０ｂは分割して取り外したり、それぞれの後傾角度を変更調整可能にしたりすると良い。
【００２６】
また、前分割選別網４０ａと後分割選別網４０ｂは一部を上下に重ねてスライドすることで目合を変更できるようにしても良い。
【００２７】
また、図８の如く、第一選別網４０の上面にストローラック３２を設けると、大きな穀稈切れや藁屑の後方送りが良くなる。
【００２８】
移送棚部２６の移送方向下手側で第一選別網４０の下にはシーブ２７を設ける。シーブ２７は、穀粒と異物（夾雑物）とを選別するものであり、左右方向の縦状のフィン２８を所定間隔で揺動方向（前後方向）に複数並設して構成する。フィン２８は、薄い板形状に形成し、移送方向の下手側（後側）が高い角度範囲内で傾斜角度調節自在に構成している。
【００２９】
なお、図５に示す如く、シーブ２７を第一選別網４０と平行に第一選別網４０の目合よりも小さな目合の中間選別網３８とすることも出来る。この場合に、前分割選別網４０ａと後分割選別網４０ｂは分離して、後分割選別網４０ｂを前分割選別網４０ａの下端に配置している。
【００３０】
シーブ２７の移送方向の下手側（後側）にはストローラック３０を設ける。
【００３１】
なお、中間選別網３８を設けた構成では、図９の如く、ストローラック３０の代わりに後分割選別網４０ｂに段差を付けて下に前端を重ねて終端網４０ｃを設けても良い。後分割選別網４０ｂを前分割選別網４０ａと中間選別網３８より後上がりに傾斜させ、さらに終端網４０ｃを後上がりに傾斜させる。後分割選別網４０ｂと終端網４０ｃの重なり部は一番コンベア３５の底ガイドである一番棚先３４の後方延長線上か後方延長線前とする。また、終端網４０ｃの目合は後分割選別網４０ｂの目合よりも大きく、移送棚状に段を形成する。
【００３２】
前分割選別網４０ａと後分割選別網４０ｂと中間選別網３８は、重なり部が平面視で隙間なくする。
【００３３】
シーブ２７の下方には第二選別網（精選別網）３７を設ける。
【００３４】
また、第二選別網３７の下方には一番コンベア３５を設け、一番コンベア３５の後側には二番コンベア３６を設ける。
【００３５】
揺動選別棚２５の下方に設けた唐箕２２からの選別風が通る風路４２を、第一選別網４０の前部とシーブ２７の前端部との間に設け、唐箕２２からの選別風が第二選別網３７の下方に通る中間風路４８と下側風路４９を設ける。（図２）。
【００３６】
そのため、第一選別網４０から漏下する脱穀処理物及び第二選別網３７から漏下する穀粒の選別精度を向上させることができる。
【００３７】
前記風路４２の構成は、任意であるが、本例では、揺動選別棚２５の底板２５Ａに開口部４３を設け、開口部４３は上側風路４４の上方に臨ませる。上側風路４４は唐箕ケーシング２３の送風口４５に設けた上側導風体４６と唐箕ケーシング２３の送風口４５の上端との間に形成している。４７は上側導風体４６の下方に設けた下側導風体、４８は中間風路、４９は下側風路であり、中間風路４８と下側風路４９が合流して前記選別風路４１となる。
【００３８】
風路４２は、揺動選別棚２５の底板２５Ａの開口部４３を上側風路４４の上方に臨ませているので、唐箕ケーシング２３の上側風路４４からの選別風が開口部４３から揺動選別棚２５の底板２５Ａ上に吹き抜けて、移送棚２６が選別網４０の始端部に吹き上がるように吹き抜け、第一選別網４０上の選別処理を促進させる。
【００３９】
即ち、シーブ２７の始端部下方には揺動選別棚２５の底板２５Ａがあるので、通常の唐箕２２の選別風が流れないが、本願では、第一選別網４０の前部とシーブ２７の前端部との間に風路４２を設けているので、第一選別網４０上の選別処理を促進させることができる。
【００４０】
第一選別網４０とシーブ２７との隙間Ｔは、第一選別網４０の前側部分とシーブ２７の前側部分との間の前側の上下間隔Ｔ１が、選別網４０の後側部分とシーブ２７の後側部分との間の後側の上下間隔Ｔ２よりも広く形成する。
【００４１】
そのため、第一選別網４０とシーブ２７の前側部分での選別処理能力を向上させることができ、一番コンベア３５への夾雑物の混入をさらに低減できる。
【００４２】
すなわち、第一選別網４０の前側部分とシーブ２７の前側部分との間の前側の上下間隔Ｔ１が、第一選別網４０の後側部分とシーブ２７の後側部分との間の後側の上下間隔Ｔ２よりも広く形成しているので、選別網４０とシーブ２７の前側部分の下方を流れる選別風の風量を多くすることができ、前側部分で選別処理を促進させ、一方、第一選別網４０とシーブ２７の後側部分では上下間隔Ｔ２を狭くして選別風を弱めて、機体外に穀粒を飛散させる機外飛散ロスの発生を抑制させることができる。
【００４３】
図６は、揺動選別棚２５を設けずに、第一選別網４０の底面に後上方に向かう送風ガイド３１ａ，３１ｂ，３１ｃ，３１ｄ，３１ｅを設けた実施例で、後方側ほど長く下方へ突出させている。最後部の送風ガイド３１ｅは、ストローラック３０よりも上で離している。また、送風ガイド３１ａ，３１ｂ，３１ｃ，３１ｄ，３１ｅは第一選別網４０と第二選別網３７から離して設けても良い。
【００４４】
図７は、シーブ２７に代えて中間選別網３８を設けた構成で、第一選別網４０の終端を中間選別網３８の終端より後に長く第二選別網３７の終端を短くして、第一選別網４０と中間選別網３８と第二選別網３７の後部の後上昇角度を脱穀処理物の量で変更可能にしている。
【００４５】
図１０，１１に示す如く、風選室２４の後側には、ワラ屑類等を切断するスプレッダ式の切断処理装置５５を設ける。切断処理装置５５は排出された排稈等を切断する回転刃５６と、切断処理装置５５の前部の下部に起立・倒伏可能な切刃５７とを設けて構成している。
【００４６】
回転刃５６の構成は任意であるが、本例では、切断処理胴５８の外周に放射方向に突出させて、切断処理胴５８の外周面に左右方向に所定の間隔を持ち、側面視において、相互に重ならないように、周方向に所定の角度を持って位置させて、千鳥状に配置している。
【００４７】
切断処理胴５８の外周面には、機体走行方向の左側に搬送するように搬送螺旋５９を設ける。
【００４８】
そのため、切断処理胴５８の外周面に載った切断材等は搬送螺旋５９により機体左側に搬送でき、切断処理装置５５からの圃場への排出物の均分化を図ることができる。
【００４９】
（実施形態の作用）
走行装置２により走行し、刈取装置４で刈り取った穀稈は扱室１５に供給され、扱室１５の扱胴２０で脱穀される。
【００５０】
脱穀された脱穀物は、扱網２１より第一選別網４０を通して揺動選別棚２５上に落下し、揺動選別棚２５の揺動と唐箕２２からの送風により選別され、穀粒は揺動選別棚２５から一番コンベア３５に回収され、一番コンベア３５により回収された穀粒はグレンタンク５に貯留される。
【００５１】
しかして、揺動選別棚２５における、一番コンベア３５の上方の部位にシーブ２７を設け、該シーブ２７の上方に該シーブ２７と上下に所定間隔Ｔをあけて第一選別網４０を設けているので、一番コンベア３５への夾雑物の混入を低減しつつも、選別網４０およびシーブ２７の選別効率の低下を防止できる。
【符号の説明】
【００５２】
３  脱穀装置
１５  扱室
２２  唐箕
２４  風選室
２５  揺動選別棚
３８  中間選別網
４０  第一選別網
４０ａ，４０ｂ  分割選別網
【図１】
2020031584.tif 000003
【図２】
2020031584.tif 000004
【図３】
2020031584.tif 000005
【図４】
2020031584.tif 000006
【図５】
2020031584.tif 000007
【図６】
2020031584.tif 000008
【図７】
2020031584.tif 000009
【図８】
2020031584.tif 000010
【図９】
2020031584.tif 000011
【図１０】
2020031584.tif 000012
【図１１】
2020031584.tif 000013